(57)【特許請求の範囲】
【請求項１】
ほぼ水平に流れるテープ状の原紙の上方から塗工液を膜状に連続して流下させて原紙の上面に塗料膜を塗工するＤＦコータ装置であって、上記塗料膜の塗工個所に近接して上流側に設けられ、上記原紙の表面に発生する同伴空気流を遮断する遮風板を配設してなり、上記遮風板は、原紙の流れ方向に下り勾配に配置された平板状の支持部材と、該支持部材先端に取り付けられたブレードとからなり、該ブレードは上記支持部材と同一の勾配を有する勾配部と、原紙の表面に接触する平面部と、上記勾配部と上記平面部との間に介在する滑らかな湾曲部とからなり、該湾曲部には遮断された同伴空気流を上方に向かって流す多数の通気孔が設けられていることを特徴とするＤＦコータ装置。
【請求項２】
上記ブレードの平面部は先端が上方に向かって折り曲げられている請求項１記載のＤＦコータ装置。
【請求項３】
上記ブレードはステンレス鋼等の金属製である請求項１または請求項２記載のＤＦコータ装置。
【発明の詳細な説明】
【０００１】
【発明の属する技術分野】
本発明は、テープ状の原紙の表面に感圧塗料等を直接塗工した加工紙等を連続して製造するためのＤＦコータ（Direct-Fountain-Coater）装置に関するものである。
【０００２】
【従来の技術】
従来、感圧紙等の加工紙は、ＤＦコータ装置によって製造されている。
【０００３】
図５はＤＦコータ装置の側面図である。
図において、１はテープ状の原紙６が巻き付けられた繰り出しロールである。２は原紙６を巻き取る巻き取りロールである。３，３はこれら繰り出しロール１と巻き取りロール２の間をほぼ水平に案内する一対の案内ローラである。４は案内ローラ３，３の中間に設けられたヘッダである。５はヘッダ４から原紙６の上面に膜状に連続して流下させた感圧塗料等の塗料液であり、５ａは塗料液５を原紙６の上面に塗工した塗料膜である。７はヘッダ４の下流側に設けられた加熱ヒータ等の定着部である。８は原紙６の搬送に伴って原紙６の表面に発生した同伴空気流である。原紙６は加工紙の製造効率を高めるため、約１，０００ｍ／min もの高速で搬送される場合がある。
【０００４】
【発明が解決しようとする課題】
しかしながら、上記ＤＦコータ装置は、原紙を約１，０００ｍ／min もの高速で搬送しているため、原紙の表面には下流側に向かって流れる同伴空気流が発生する。その結果、同伴空気流によって塗料膜が大きく乱れて良好な塗工を行うことができず、加工紙の品質を低下させるなどの問題がある。
【０００５】
本発明は、上記のような問題点を解決するために創案されたもので、原紙の表面に発生する同伴空気流を確実に遮断して同伴空気流の塗工への悪影響をなくすようにしたＤＦコータ装置を提供することを目的とするものである。
【０００６】
【課題を解決するための手段】
本発明によれば、ほぼ水平に流れるテープ状の原紙の上方から塗工液を膜状に連続して流下させて原紙の上面に塗料膜を塗工するＤＦコータ装置であって、上記塗料膜の塗工個所の上流側に、上記原紙の表面に発生する同伴空気流を遮断する遮風板を配設してなり、該遮風板は、支持部材と、該支持部材先端に取り付けられ先端に原紙の表面に接触する平面部を有し、中間に滑らかな彎曲部を有し、彎曲部に多数の通気孔を有するブレードとからなるＤＦコータ装置が提供される。
【０００７】
上記ブレードの平面部は、先端が上方に向かって折り曲げられているのが好ましい。
【０００８】
上記ブレードは、ステンレス鋼等の金属製であるのが好ましい。
【０００９】
次に本発明の作用について説明する。
このように、塗料膜の塗工個所の上流側に、先端に原紙の表面に接触する平面部を有し、中間に滑らかな彎曲部を有し、かつ、彎曲部に多数の通気孔を有するブレードを有する遮風板を配設し、ブレードを原紙の表面に接触させて原紙の表面に発生する同伴空気流を確実に遮断するようにしたので、塗料膜の乱れを防止することができ、したがって、塗料膜厚さを均一にした良好な塗工を行うことができ、加工紙の品質の向上を図ることができる。原紙の表面に発生した同伴空気流は、ブレードと原紙との間に押し込まれて遮風板を通過してしまう恐れがあるので、通気孔によって上方に放流する。ブレードは原紙の表面に面接触しているので、原紙の表面に傷を付けることがなく、紙粉の発生を防止することができる。
【００１０】
通気孔を通過した空気流が塗料液に当たる恐れがあるので、ブレード先端を上方に向かって折り曲げて遮風するのが好ましい。
【００１１】
これらのブレードは、ステンレス鋼等の金属製なので、摩耗が少ない。ブレードの先端は、塗工個所の約３０ｍｍ上流側に位置するように配設するのが好ましい。
【００１２】
【本発明の実施の形態】
以下、本発明の好ましい一実施形態について図面を参照して説明する。
図１は本発明のＤＦコータ装置の側面図である。図２は図１の一部拡大図である。なお、従来技術として図５に示したものと共通の部材については、同じ符号を用いて説明する。
【００１３】
図において、１はテープ状の原紙６が巻き付けられた繰り出しロールである。２は原紙６を巻き取る巻き取りロールである。３，３はこれら繰り出しロール１と巻き取りロール２の間をほぼ水平に案内する一対の案内ローラである。４は案内ローラ３，３の中間に設けられたヘッダである。５はヘッダ４から原紙６の上面に膜状に連続して流下させた感圧剤等の塗料液であり、５ａは塗料液５を原紙６の上面に塗工した塗料膜である。７はヘッダ４の下流側に設けられた加熱ヒータ等の定着部である。８は原紙６の搬送に伴って原紙６の表面に発生した同伴空気流である。９は原紙６の上面に流下した塗料膜５の塗工個所である。
【００１４】
１０は塗工個所９の上流側に配設した遮風板である。遮風板１０は、支持部材１０ａと、支持部材１０ａの先端に取り付けられ、先端に原紙６の表面に接触する平面部１１ａを有し、中間に滑らかな彎曲部１１ｂを有し、彎曲部１１ｂに多数の通気孔１１ｃを有するブレード１１とからなり、原紙６の表面に接触するようになっている。通気孔１１ｃを上方に向かって開口するようにすると、同伴空気流８が上方に向かって流れるので好ましい。
【００１５】
図３は本発明の他の実施形態を示すＤＦコータ装置の側面図であり、図４は図３の一部拡大図である。
図において、１０は塗工個所９の上流側に配設した遮風板で、支持部材１０ａと、支持部材１０ａの先端に取り付けられ、先端に原紙６の表面に接触する平面部１２ａを有し、平面部１２ａの先端は上方に向かって折り曲げられており、中間に滑らかな彎曲部１２ｂを有し、彎曲部１２ｂに多数の通気孔１２ｃを有するブレード１２とからなり、原紙６の表面に面接触するようになっている。通気孔１２ｃは、原紙６の流れ方向下流側に向かって斜め上方に開口しているので、通気孔１２ｃを通過した空気流が塗料液５に当たる恐れがあるので、折曲部１２ｃで遮風する。なお、他の構成は図１の構成と同じであり、説明を省略する。
【００１６】
これらブレード１１，１２の先端は、塗工個所９の約３０ｍｍ上流側に位置するように配設するのが好ましい。
【００１７】
次に本実施形態の作用について述べる。
このように、塗料膜５ａの塗工個所９の上流側に、先端に原紙６の表面に接触する平面部１１ａを有し、中間に滑らかな彎曲部１１ｂを有し、かつ、彎曲部１１ｂに多数の通気孔１１ｃを有するブレード１１を有する遮風板１０を配設し、ブレード１１を原紙６の表面に接触させて原紙６の表面に発生する同伴空気流８を確実に遮断するようにしたので、塗料膜５ａの乱れを防止することができ、したがって、塗料膜５ａ厚さを均一にした良好な塗工を行うことができ、加工紙の品質の向上を図ることができる。原紙６の表面に発生した同伴空気流８は、ブレード１１と原紙６との間に押し込まれて遮風板１０を通過してしまう恐れがあるので、通気孔１１ｃによって上方に放流する。ブレード１１は原紙６の表面に面接触しているので、原紙６の表面に傷を付けることがなく、紙粉の発生を防止することができる。
【００１８】
通気孔１２ｄを通過した空気流８が塗料液５に当たる恐れがあるので、ブレード１２先端を上方に向かって折り曲げて遮風するのが好ましい。
【００１９】
これらのブレード１１，１２は、ステンレス鋼等の金属製なので、摩耗が少ない。ブレード１１，１２の先端は、塗工個所９の約３０ｍｍ上流側に位置するように配設するのが好ましい。
【００２０】
本発明は、上記実施の形態に限定されるものではなく、本発明の要旨を逸脱しない範囲で種々変更し得ることは勿論である。
【００２１】
【発明の効果】
以上説明したように、本発明によれば、塗料膜の塗工個所の上流側に、多数の通気孔を有するブレードを有する遮風板を配設し、ブレードを原紙の表面に面接触させて原紙の表面に発生する同伴空気流を確実に遮断するようにしたので、塗料膜の乱れを防止することができ、したがって、塗料膜厚さを均一にした良好な塗工を行うことができ、加工紙の品質の向上を図ることができるなどの優れた効果を奏する。
【図面の簡単な説明】
【図１】本発明のＤＦコータ装置の側面図である。
【図２】図１の一部拡大図である。
【図３】本発明の他の実施形態を示すＤＦコータ装置の側面図である。
【図４】図３の一部拡大図である。
【図５】従来のＤＦコータ装置の側面図である。
【符号の説明】
１  繰り出しローラ
２  巻き取りローラ
３  案内ローラ
４  ヘッダ
５  塗料液
５ａ  塗料膜
６  原紙
７  定着部
８  同伴空気流
９  塗工個所
１０  遮風板
１０ａ  支持部材
１１，１２  ブレード
１１ｃ，１２ｄ  通気孔
【図１】
0004325005.tif 000002
【図２】
0004325005.tif 000003
【図３】
0004325005.tif 000004
【図４】
0004325005.tif 000005
【図５】
0004325005.tif 000006